(57)【要約】      （修正有）【課題】粘着テープをカッターにセットして、先方部を引き出すと、熊や猫等の動物等が舌を出して、「あかんベー」をしているように見え、使用者に面白さや癒し効果を与える粘着テープカッターを提供する。【解決手段】長方形状の第１プレート１と第２プレート２を接合して中空部を形成し、中空部内の装着部に粘着テープ４を装着して、第１プレートと第２プレートの前方側端部を、眼５、鼻６および口７等を表示した動物等の顔形状に形成された固定片８で固定する。テープの先方部４ａを、ガイド軸上を摺接させながら、固定片の口７の部分より下方側へ引き出して、カット部１０に仮止めすると、口７の部分より下方側へ引き出したテープの先方部が、動物等が舌を出し、「あかんベー」をしているように見える。【選択図】図８
0003210253.tif 000002
【実用新案登録請求の範囲】
【請求項１】
長方形状の第１プレートと第２プレートを接合して、方形箱状の中空部を形成し、且つ該中空部内の装着部に粘着テープを装着して、前記第１プレートと第２プレートの前方側端部を、動物、あるいはアニメのキャラクターまたは人形等の眼、鼻および口等をデザイン化して、前記動物等の顔形状に形成された固定片で固定し、前記粘着テープの先方部を、回転可能なガイド軸表面を摺接させながら、前記固定片の口の部分より下方側へ引き出して、カット部に仮止めすると、前記口の部分より下方側へ引き出した粘着テープの先方部が、前記動物等が舌を出し、「あかんベー」をしているように見えるようにしたことを特徴とする粘着テープカッター。
【請求項２】
長方形状の第１プレートと第２プレートを接合して、方形箱状の中空部を形成し、且つ該中空部内の装着部に粘着テープを装着して、前記第１プレートと第２プレートの前方側端部を、動物、あるいはアニメのキャラクターまたは人形等の眼、鼻および口等をデザイン化して、前記動物等の顔形状に形成された固定片で固定し、前記粘着テープの先方部を、回転可能なガイド軸表面を摺接させながら、前記固定片の口の部分より下方側へ引き出して、カット部に仮止めすると、前記口の部分より下方側へ引き出した粘着テープの先方部が、前記動物等が舌を出し、「あかんベー」をしているように見えるようにした粘着テープカッターであって、複数の粘着テープカッターの第１プレートと第２プレートの上・下面にそれぞれ対応するよう設けられた嵌合突起を嵌合凹部に嵌合することにより、複数段に亘って積み重ねることができるようにしたことを特徴とする粘着テープカッター。
【考案の詳細な説明】
【技術分野】
【０００１】
本考案は、マスキングテープまたはセロハンテープ等の粘着テープカッターに関し、特に、赤色や青色等の有色、あるいは模様等を表示して目立つような色に着色されている粘着テープをカッターにセットして、その先方部を、例えば、熊や猫等の動物、あるいはアニメのキャラクターまたは人形等の顔をデザイン化して形成した固定片の口の部分から下方へ引き出して、カット部に仮止めすると、該下方へ引き出された先方部が、前記動物等が舌を出して、あたかも、「あかんベー」をしているように見え、使用者に面白さや癒し効果を与えることができるようにした粘着テープカッターに関するものである。
【背景技術】
【０００２】
従来、マスキングテープまたはセロハンテープ等の粘着テープは、一般に汎用されているテープカッターにセットして使用していた。例えば、下記特許文献に示すように、粘着テープをカッターに装着保持してセットし、その後、前記粘着テープの先方部を引き出して使用していた。
【先行技術文献】
【特許文献】
【０００３】
【特許文献１】特許第４２１８４１５号公報
【考案の概要】
【考案が解決しようとする課題】
【０００４】
前記特許文献に記載された粘着テープカッターは、該テープカッターに粘着テープをセットしても、単に、粘着テープの先方部を引き出してカットして使用するという最低限の機能しか備えておらず、該テープカッターには使用者に面白さや癒し効果を与えるような機能を備えていないので、使用者に見ていて楽しい、あるいは面白いという印象の外、癒やし効果を与えることができないという課題があった。
【０００５】
本考案は、前記課題を解決すべくなされたものであって、透明あるいは薄い色に着色され粘着テープの外、特に、赤色や青色等の有色、あるいは模様等を表示して目立つような色に着色された粘着テープをテープカッターにセットし、該粘着テープの先方部を、例えば、熊や猫等の動物、あるいはアニメのキャラクターまたは人形等の顔をデザイン化して形成された固定片の口の部分より下方へ引き出して、カット部に仮止めすると、前記動物等が舌を出して、あたかも、「あかんベー」をしているように見え、使用者に見ていて楽しい、あるいは面白いという印象の外、癒やし効果を与えることができるようにした粘着テープカッターを提供しようとするものである。また、前記粘着テープカッターを、複数段に亘って積み重ねることができ、これにより使用者、並びに第三者に更に楽しさや癒やし効果を与えることができる粘着テープカッターを提供しようとするものである。
【課題を解決するための手段】
【０００６】
本考案は前記問題点を解決すべくなされたもので、
長方形状の第１プレートと第２プレートを接合して、方形箱状の中空部を形成し、且つ該中空部内の装着部に粘着テープを装着して、前記第１プレートと第２プレートの前方側端部を、動物、あるいはアニメのキャラクターまたは人形等の眼、鼻および口等をデザイン化して、前記動物等の顔形状に形成された固定片で固定し、前記粘着テープの先方部を、回転可能なガイド軸表面を摺接させながら、前記固定片の口の部分より下方側へ引き出して、カット部に仮止めすると、前記口の部分より下方側へ引き出した粘着テープの先方部が、前記動物等が舌を出し、「あかんベー」をしているように見えるようにするという手段、または、
長方形状の第１プレートと第２プレートを接合して、方形箱状の中空部を形成し、且つ該中空部内の装着部に粘着テープを装着して、前記第１プレートと第２プレートの前方側端部を、動物、あるいはアニメのキャラクターまたは人形等の眼、鼻および口等をデザイン化して、前記動物等の顔形状に形成された固定片で固定し、前記粘着テープの先方部を、回転可能なガイド軸表面を摺接させながら、前記固定片の口の部分より下方側へ引き出して、カット部に仮止めすると、前記口の部分より下方側へ引き出した粘着テープの先方部が、前記動物等が舌を出し、「あかんベー」をしているように見えるようにした粘着テープカッターであって、複数の粘着テープカッターの第１プレートと第２プレートの上・下面にそれぞれ対応するよう設けられた嵌合突起を嵌合凹部に嵌合することにより、複数段に亘って積み重ねることができるようにするという手段、
を採用することにより、上記課題を解決した。
【考案の効果】
【０００７】
前記構成より成る本考案によれば、特に、模様等を表示して目立つように着色された粘着テープを本考案粘着テープカッターにセットして、該粘着テープの先方部を、熊や猫等の動物、あるいはアニメのキャラクターまたは人形等の顔をデザイン化して形成された固定片の口の部分の下方側に引き出して、カット部に仮止めすると、該引き出された先方部が、前記動物等が舌を出して、あたかも、「あかんベー」をしているように見え、使用者に見ていて楽しい、あるいは面白いという印象の外、癒やし効果を与えることができ、更に、本考案粘着テープカッターを複数段に亘って積み重ねることにより、前記複数段に亘って積み重ねられた粘着テープカッターの、それぞれの固定片の口の部分の下方位置から、前記粘着テープの先方部を下方側に引き出して、カット部に仮止めすると、該引き出された各先方部が、前記動物等が舌を出して、あたかも、「あかんベー」をしているように見え、使用者に更に楽しさや癒やし効果を与えることができるのである。
【図面の簡単な説明】
【０００８】
【図１】本考案粘着テープカッターを構成する第１プレートの平面図である。
【図２】同側面図である。
【図３】本考案粘着テープカッターを構成する第２プレートを１８０度偏位させて示す平面図である。
【図４】同側面図である。
【図５】本考案粘着テープカッターを構成するガイド軸の正面図である。
【図６】同縦断面図である。
【図７】本考案粘着テープカッターを構成するカット部の縦断面図である。
【図８】本考案粘着テープカッターの全体を示す正面図で、前記テープの先方部が固定片から突出した状態が示されている。
【図９】本考案粘着テープカッターの全体を示す背面図である。
【図１０】本考案粘着テープカッターの全体を示す平面図である。
【図１１】本考案粘着テープカッターの全体を示す側面図で、前記テープが装着部に装着され、その先方部が固定片から突出し、カット部の仮接着面に仮止めされている状態が示されている。
【図１２】本考案粘着テープカッターの使用状態を示す縦断面図で、前記テープが装着部に装着され、その先方部が固定片から突出し、カット部の仮接着面に仮止めされている状態が示されている。
【図１３】本考案粘着テープカッターにおいて固定片を開放して示す全体の斜視図である。
【図１４】本考案粘着テープカッターを２段に亘って積み重ねた状態を示す正面図で、前記テープの先方部が各カッターの固定片から突出した状態が示されている。
【図１５】本考案粘着テープカッターを２段に亘って積み重ねた状態を示す側面図で、前記テープの先方部が各カッターの固定片から突出した状態が示されている。
【図１６】本考案粘着テープカッターを２段に亘って積み重ねた状態を示す背面図である。
【図１７】本考案粘着テープカッターを２段に亘って積み重ねた状態を示す縦断面図である。
【実施例】
【０００９】
本考案粘着テープカッターの実施の一例を図面に基づいて詳細に説明する。本考案粘着テープカッターは、長方形状の第１プレート１と第２プレート２を接合して、方形箱状の中空部３を形成し、且つ該中空部３内に、模様等を表示して目立つ色に着色された粘着テープ４を装着して、前記第１プレート１と第２プレート２の前方側端部を、熊や猫等の動物、あるいはアニメのキャラクターまたは人形等の顔をデザイン化して形成された固定片８で固定し、然る後、前記粘着テープ４の先方部４ａを、ガイド軸９上を摺接させながら、前記固定片８の口７の部分より下方側へ引き出して、カット部１０に仮止めすると、前記口７の部分より下方側へ引き出した粘着テープ４の先方部４ａが、あたかも、「あかんベー」をしているように見えるようにした粘着テープカッターである。以下、更に図面により詳細に説明する。
【００１０】
本考案粘着テープカッターは、第１プレート１と第２プレート２の後方側端部において、それぞれ内側方向に直角に折曲して形成された折曲片１１・１２の内側端縁部を当接固定すると共に、前記第１プレート１と第２プレート２の前方側端部下方において、それぞれ内側方向に直角に折曲して形成された折曲片１３・１４の内側端縁部を当接固定して、前記第１プレート１と第２プレート２を接合して、前記第１プレート１と第２プレート２間に粘着テープ４を収納することができる方形箱状の中空部３を形成し、更に、前記第１プレート１と第２プレート２の前方側端部上方を前記固定片８で固定して形成されている。
【００１１】
前記第１プレート１と第２プレート２の後方側端部において、それぞれ内側方向に折曲して形成された折曲片１１・１２は、後方側接合手段１５を介して、接合または分離自在なるよう形成されている。前記後方側接合手段１５は、第１プレート１と第２プレート２の後方側端部において、両者を接合または分離できるような構成を備えておれば、いずれも採用することができる。そして、本考案においては、前記後方側接合手段１５は、特に限定する必要はないが、好ましくは、図１〜図４に示すような構成とすることが推奨される。
【００１２】
すなわち、前記後方側接合手段１５は、図１〜図４に示すように、第１プレート１の折曲片１１の前方側壁面に接する上・下方側に嵌合突起１６をそれぞれ突設すると共に、第２プレート２の折曲片１２の前方側壁面に接する上・下方側に、前記嵌合突起１６を嵌挿する嵌挿凹部１７をそれぞれ設けて形成されており、前記嵌合突起１６を各嵌挿凹部１７にそれぞれ嵌挿することにより、前記第１プレート１と第２プレート２とは、前記折曲片１１・１２部分において接合または分離自在なるように形成されている。
【００１３】
また、前記第１プレート１および第２プレート２の前方側端部の下方において、それぞれ内側方向へ折曲して形成された折曲片１３・１４は、前方側接合手段１８を介して接合または分離自在なるように形成されている。前記前方側接合手段１８は、前記第１プレート１と第２プレート２の前方側端部において、両者を接合または分離自在なるような構成を備えておれば、いずれも採用することができる。そして、本考案においては、前記前方側接合手段１８は、特に限定する必要はないが、好ましくは、図１〜図４に示すような構成とすることが推奨される。
【００１４】
すなわち、前記前方側接合手段１８は、図１〜図４に示すように、第１プレート１の折曲片１３の内側方向端縁の上方側に嵌合突起１９を突設すると共に、第２プレート２の折曲片１４の内側方向端縁の上方側に前記嵌合突起１９を嵌挿する嵌挿凹部２０を凹設して形成されており、前記嵌合突起１９を嵌挿凹部２０に嵌挿することにより、前記第１プレート１と第２プレート２とは、前記折曲片１３・１４部分において、接合または分離自在なるように形成されている。
【００１５】
更に、前記第１プレート１と第２プレート２の内側壁面の、前記折曲片１１・１２寄りには、粘着テープ４を装着すべく、該粘着テープ４の巻き芯４ｂよりやや小径の装着筒２１と、該装着筒２１の内周壁に嵌挿して固定する、前記装着筒２１よりはやや小径の固定筒２２とを突設して粘着テープ４の装着部２３が形成されている。
【００１６】
すなわち、前記第１プレート１と第２プレート２を接合固定する前に、前記装着部２３の装着筒２１に粘着テープ４の巻き芯４ｂ部分を装着して、該装着筒２１に固定筒２２を嵌挿し、然る後、前記第１プレート１と第２プレート２の後方側および前方側の各折曲片１１・１２および１３・１４を、後方側接合手段１５および前方側接合手段１８により、それぞれ接合することにより、前記粘着テープ４は第１プレート１と第２プレート２内において、前記装着筒２１に回転可能に装着される。
【００１７】
また、前記装着筒２１に装着された粘着テープ４を引き出すためのガイドとなるガイド軸９が、前記折曲片１３・１４の上方位置において回転自在なるよう取り付けられている。すなわち、図５〜図６に示すように、前記ガイド軸９は、円筒状の外周面に長さ方向に複数本の案内突条２４と溝部２５とを交互に設け、且つ該ガイド軸９の一端部に、前記第１プレート１に設けられた円状の嵌挿凹部２６に嵌挿される回転軸２７を突設すると共に、前記第２プレート２に突設されたピン２８に嵌挿する嵌挿凹部２９を、前記ガイド軸９の他端部に設けて形成されている。そして、前記回転軸２７を嵌挿凹部２６に嵌挿すると共に、ピン２８を嵌挿凹部２９に嵌挿することにより、前記ガイド軸９は、前記第１プレート１と第２プレート２間に回転自在に軸支される
【００１８】
前記ガイド軸９に複数本の案内突条２４と溝部２５とが交互に設けられているのは、該案内突条２４のみに粘着テープ４が粘着されることにより、前記ガイド軸９と粘着テープ４との粘着面積を小として、摩擦抵抗を小とし、前記粘着テープ４が前記ガイド軸９にほとんど粘着しないようにして摺接させながら、該粘着テープ４を容易にカット部１０方向へ引き出すことができるようにするためである。
【００１９】
更に、前記粘着テープ４を前記装着筒２１に装着すると共に、前記第１プレート１と第２プレート２の後方側および前方側の各折曲片１１・１２および１３・１４を、それぞれ前記後方側接合手段１５および前方側接合手段１８により接合された第１プレート１と第２プレート２の前方側上方部には、前記接合された第１プレート１と第２プレート２を、更に一体に固定するための固定片８が設置されている。
【００２０】
前記固定片８は、例えば、図８に示すように、前記動物等の眼５、鼻６および口７等を表示して、特に、子供が喜ぶような可愛い模様や形状にデザイン化されて形成されていると共に、該固定片８の一方側の背面端部は、前記第１プレート１の前方側端部に設けられた軸支部３０に回動自在に軸支される一方、固定片８の他方側の背面端部には、第２プレート２の前方側端部の上方外側面に、前記固定片８の他方側を固定する固定手段３１が設けられている。そして、前記固定手段３１を用いて、前記固定片８の他方側が第２プレー２の上方外側面に固定され、前記第１プレート１と第２プレー２とを固定できるよう形成されている。
【００２１】
前記固定手段３１は、固定片８の他方側の背面側端部が、第２プレート２の前方側端部に固定することができる構成であれば、いずれも採用することができる。そして、本考案においては、特に限定する必要はないが、好ましくは図１３に示すような構成とすることが推奨される。すなわち、前記固定手段３１は、図１３に示すように、端縁部下面を湾曲面３２に形成すると共に、該湾曲面３２に連なる係止段部３３を設けて形成された摺動固定片３４が、前記固定片８の他端部の背面側に突設される一方、前記第２プレート２の前方側端部の上方外側面に、前記湾曲面３２が摺接しながら後方側へ移動できるような傾斜面３５と、後方側端部に垂直壁面３６を備えた係止部３７を突設して形成されている。
【００２２】
前記固定手段３１を前記のような構成とすることによって、前記第１プレート１の前方側端部に設けられた軸支部３０に回動自在に軸支された固定片８を、該軸支部３０を介して第２プレート２の前方側端部の前面側へ回動して、該固定片８の他端部側を前記第２プレート２側へ押圧すると、前記固定手段３１の摺動固定片３４の湾曲面３２が第２プレート２の係止部３７の傾斜面３５上に摺接しながら移動し、係止段部３３が垂直壁面３６に係止して、前記固定片８は第１プレート１と第２プレート２の前方側端部に固定される。
【００２３】
なお、前記固定片８を第２プレート２の前方側端部から引き剥がす場合は、単に、固定片８の他端部側を手前方向に引けば、前記係止段部３３が垂直壁面３６に係止している状態を解除することができ、前記固定片８はその一端部側において、軸支部３０に回動自在に軸支された状態となり、前記第１プレート１と第２プレート２は両手でそれぞれ外側方向へ引っ張ることにより、接合状態が解除され分解することができる。
【００２４】
そして、前記第１プレート１と第２プレート２の前方側端部のガイド軸９の下方には、引き出された粘着テープ４をカットするカット部１０が設置されている。前記カット部１０は、引き出された粘着テープ４をカットすることができる構成を備えておれば、いずれも採用することができる。そして、本考案においては、特に限定する必要はないが、好ましくは、図７に示すような構成とすることが推奨される。
【００２５】
すなわち、前記カット部１０は、図７に示すように、前記粘着テープ４の引き出された先方側４ａの下面の粘着層を接着して、該先方側４ａをカットするまで仮止めして保持する仮接着面３８を前方側端縁に備え、且つ該接着面３８の下方位置に鋸歯状のカット刃３９を備えると共に、両側に嵌挿凹部４０・４１をそれぞれ凹設し、且つ該嵌挿凹部４０・４１に嵌挿する嵌挿突起４２・４３を前記第１プレート１と第２プレート２の前方側端部内側に突設して形成されている。
【００２６】
前記カット部１０を前記のように構成することにより、前記第１プレート１と第２プレート２を接合固定するときに、嵌挿凹部４０・４１に嵌挿突起４２・４３を嵌挿することにより、カット部１０は前記ガイド軸９の下方部に分離可能に固定される。
【００２７】
前記のように、本考案粘着テープカッターを構成する部材である第１プレート１と第２プレート２、ガイド軸９およびカット部１０は、それぞれ接合固定および分解自在に形成されているため、粘着テープ４の装着部２３への装着作業が簡単にできる。
【００２８】
前記のように構成された本考案粘着テープカッターの作用について説明する。先ず、特に、模様等を表示して目立つように着色された粘着テープ４を、前記粘着テープ装着部２３の装着筒２１に装着する一方、前記ガイド軸９およびカット部１０を第１プレート１と第２プレート２間に装着して、該第１プレート１と第２プレート２を接合し、更に前記固定片８を前記第１プレート１と第２プレート２の前方側端縁に固定して、該第１プレート１と第２プレートを一体に固定した後、図８および図１２に示すように、前記粘着テープ４の先方部４ａを、前記固定片８の口７の部分の下方よりガイド軸９上を摺接させながら引き出し、前記カット部１０の仮接着面３８に仮止めした状態にすると、前記固定片８の口７の部分の下面に引き出された、目立つように着色された粘着テープ４の 先方部４ａが、動物が舌を出して、あたかも、「あかんべー」をしているように、使用者に視認させることができる。なお、前記のように、粘着テープ４が目立つ模様あるいは色で着色されていなくても、本考案粘着テープカッターに使用することもできる。
【００２９】
なお、本考案粘着テープカッターは前記のように構成されているが、更に粘着テープ４をセットした粘着テープカッターは、複数段に亘って積み重ねることもできる。すなわち、図１４〜図１７に示すように、前記第１プレート１と第２プレート２の上端縁のそれぞれ内側方向に、上方に載置して積み重ねて行く際の下方側の幅広の載置板の役目をするフランジ４４・４５を突設すると共に、接合された第１プレート１と第２プレート２の、前記フランジ４４・４５の後方側端部上方中央部に、半円状の嵌合突起４６が突設されると共に、前記接合された第１プレート１と第２プレート２の、前記フランジ４４・４５の前方側寄り上方面に、それぞれ線状の嵌合突起４７が突設され、更に、前記接合された第１プレート１と第２プレート２の後方側端部下方中央部に、半円状の嵌合凹部４８が凹設されると共に、前記接合された第１プレート１と第２プレート２の前方側寄り下方面に、それぞれ線状の嵌合凹部４９が凹設されて形成されている。なお、前記半円状の嵌合突起４６および嵌合凹部４８は、前記第１プレート１と第２プレート２を分離すると、それぞれ２分割された形状となる。
【００３０】
そして、前記のように構成された本考案粘着テープカッターを複数段に亘って積み重ねる場合、図１６および図１７に示すように、下段に位置する粘着テープカッターＡの半円状の嵌合突起４６と線状の嵌合突起４７を、上段に積み重ねる粘着テープカッターＢの嵌合凹部４８と線状の嵌合凹部４９にそれぞれ嵌合することにより、複数段に亘って積み重ねることができる。なお、図１４〜図１７は、２段に積み重ねたものであるが、３段以上も同様にして積み重ねることができる。このように、複数段に亘って重ねる場合、粘着テープ４の色や模様が異なるものをセットすることにより、使用者に、１段の場合に比べて、見ていて楽しい、あるいは面白いという印象や癒やし効果を与えることができる。
【符号の説明】
【００３１】
１  第１プレート
２  第２プレート
３  中空部
４  粘着テープ
４ａ  粘着テープの先方部
５  動物等の眼
６  動物等の鼻
７  動物等の口
８  固定片
９  ガイド軸
１０  カット部
２３  装着部
４６  嵌合突起
４７  嵌合突起
４８  嵌合凹部
４９  嵌合凹部
Ａ  下段の粘着テープカッター
Ｂ  上段の粘着テープカッター
【図１】
0003210253.tif 000003
【図２】
0003210253.tif 000004
【図３】
0003210253.tif 000005
【図４】
0003210253.tif 000006
【図５】
0003210253.tif 000007
【図６】
0003210253.tif 000008
【図７】
0003210253.tif 000009
【図８】
0003210253.tif 000010
【図９】
0003210253.tif 000011
【図１０】
0003210253.tif 000012
【図１１】
0003210253.tif 000013
【図１２】
0003210253.tif 000014
【図１３】
0003210253.tif 000015
【図１４】
0003210253.tif 000016
【図１５】
0003210253.tif 000017
【図１６】
0003210253.tif 000018
【図１７】
0003210253.tif 000019